Podtech/llm-jp-corpus-v4-ja_patent huggingface dataset:
【手続補正書】
【提出日】平成28年8月31日(2016.8.31)
【手続補正１】
【補正対象書類名】特許請求の範囲
【補正対象項目名】全文
【補正方法】変更
【補正の内容】
【特許請求の範囲】
【請求項１】
少なくとも第１側板を有する筐体と、
前記第１側板から伸延し、且つ、ロールペーパを回転可能に支持する支持軸と、
前記第１側板に向って傾斜しつつ伸延し、且つ、複数の予備のロールペーパを前記支持軸方向に滑走可能に保持する保持部と、
前記保持部に保持された最下部の予備のロールペーパの下側の端面を係止するストッパと、
を有することを特徴とするロールペーパ供給装置。
【請求項２】
前記支持軸が、前記ストッパとして機能している、請求項１に記載のロールペーパ供給装置。
【請求項３】
前記筐体の表面を覆う表板を更に有し、
前記表板は、ユーザが、前記保持部で保持されている予備のロールペーパを前記支持軸に挿入するための開口部を有している、請求項２に記載のロールペーパ供給装置。
【請求項４】
前記支持軸の長さは、ロールペーパの幅よりも長く、前記支持軸の端部は、前記保持部と前記第１側板との間に位置する、請求項３に記載のロールペーパ供給装置。
【請求項５】
前記支持軸の高さは、前記保持部に保持された最下部の予備のロールペーパの下側の端面の中心穴の上端よりも高く且つ下側の端面の上端よりも低い、請求項４に記載のロールペーパ供給装置。
【請求項６】
少なくとも第１側板を有する筐体と、
前記第１側板から伸延し、且つ、ロールペーパを回転可能に支持する支持軸と、
前記第１側板に向かって傾斜しつつ伸延し、且つ、複数の予備のロールペーパを前記支持軸方向に滑走可能に保持する保持部と、
前記保持部に保持された予備のロールペーパの中心穴の方向が前記支持軸と平行となるように、予備のロールペーパの方向を変更する案内部と、
を有する、ことを特徴とするロールペーパ供給装置。
【請求項７】
前記筐体の表面を覆う表板を更に有し、
前記表板は、ユーザが、中心穴の方向が前記支持軸と平行となっている予備のロールペーパを前記支持軸に挿入するための開口部を有している、請求項６に記載のロールペーパ供給装置。
【請求項８】
前記筐体は、前記表板と対向する背板を更に有し、
前記案内部は、前記背板から前記表板に向かって湾曲しつつ延伸する第１方向転換部を有する、請求項７に記載のロールペーパ供給装置。
【請求項９】
前記案内部は、前記第１方向転換部の湾曲面に配置され、予備のロールペーパを後方から支持する予備ロールペーパ後方支持部を更に有する、請求項８に記載のロールペーパ供給装置。
【請求項１０】
前記案内部は、前記保持部から前記表板に向かってに延伸する第２方向転換部を更に有する、請求項８又は９に記載のロールペーパ供給装置。
【請求項１１】
前記案内部は、前記保持部と前記支持軸との間に配置され、方向を変更するときに予備のロールペーパが衝突する衝突部を更に有する、請求項８〜１０の何れか一項に記載のロールペーパ供給装置。
【請求項１２】
予備のロールペーパは、予備ロールペーパの中心穴が支持軸の延長上に位置するように案内される、請求項６〜１１の何れか一項に記載のロールペーパ供給装置。
【請求項１３】
前記筐体は、前記第１側板と対向する第２側板を更に有し、
前記保持部は、前記第２側板から傾斜しつつ延伸する第１傾斜部と、前記第１傾斜部に平行に配置される第２傾斜部とを有する、請求項１〜１２の何れか一項に記載のロールペーパ供給装置。
【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
始動条件の成立により遊技者に有利な特別遊技を実行するか否かを判定する判定手段と、
前記判定手段にて前記特別遊技を実行すると判定されると、前記特別遊技を実行する特別遊技実行手段と、
前記判定手段による判定結果に基づき、前記特別遊技に係る特別図柄を変動させて停止させる図柄変動手段と、
前記特別遊技の実行後、前記判定手段による判定確率が高確率となる高確率遊技状態、又は、前記判定手段による判定確率が低確率となる低確率遊技状態に遊技状態を制御可能な遊技状態制御手段と、を備え、
前記図柄変動手段は、通常変動を含む通常変動パターン情報、当該通常変動よりも前記特別図柄の変動開始から変動停止までの時間である変動時間が短い第１時短変動を含む第１変動パターン情報、又は、当該第１変動パターン情報に含まれるいずれの変動よりも前記変動時間が短い第２時短変動を含む第２変動パターン情報に基づいて前記特別図柄を変動させることが可能であり、
前記遊技状態制御手段は、前記高確率遊技状態にあっては、前記第２時短変動が含まれる前記第２変動パターン情報に基づく第１時短遊技状態で遊技を制御することが可能であり、前記低確率遊技状態にあっては、前記第１変動パターン情報に基づく第２時短遊技状態で遊技を制御し、
前記第１時短遊技状態においては、保留球数によらず、前記第２時短変動が選択可能であること
を特徴とする遊技機。
【手続補正２】
【補正対象書類名】明細書
【補正対象項目名】０００９
【補正方法】変更
【補正の内容】
【０００９】
本発明の遊技機（１，２）は、始動条件の成立により遊技者に有利な特別遊技を実行するか否かを判定する判定手段（３０１ａ，Ｓ１６０１，Ｓ４１０１）と、前記判定手段にて前記特別遊技を実行すると判定されると、前記特別遊技を実行する特別遊技実行手段（３０１ａ）と、前記判定手段による判定結果に基づき、前記特別遊技に係る特別図柄を変動させて停止させる図柄変動手段（３０１ａ）と、前記特別遊技の実行後、前記判定手段による判定確率が高確率となる高確率遊技状態、又は、前記判定手段による判定確率が低確率となる低確率遊技状態に遊技状態を制御可能な遊技状態制御手段（３０１ａ）と、を備え、前記図柄変動手段は、通常変動を含む通常変動パターン情報、当該通常変動よりも前記特別図柄の変動開始から変動停止までの時間である変動時間が短い第１時短変動を含む第１変動パターン情報、又は、当該第１変動パターン情報に含まれるいずれの変動よりも前記変動時間が短い第２時短変動を含む第２変動パターン情報に基づいて前記特別図柄を変動させることが可能であり、前記遊技状態制御手段は、前記高確率遊技状態にあっては、前記第２時短変動が含まれる前記第２変動パターン情報に基づく第１時短遊技状態で遊技を制御することが可能であり（Ｓ１７０３：ＹＥＳ，Ｓ１７０６）、前記低確率遊技状態にあっては、前記第１変動パターン情報に基づく第２時短遊技状態で遊技を制御し（Ｓ１７０３：ＮＯ，Ｓ１７０５：ＹＥＳ，Ｓ１７０７）、前記第１時短遊技状態においては、保留球数によらず、前記第２時短変動が選択可能であることを特徴とする。
【手続補正３】
【補正対象書類名】明細書
【補正対象項目名】００１０
【補正方法】削除
【補正の内容】
【手続補正書】
【提出日】平成28年9月12日(2016.9.12)
【手続補正１】
【補正対象書類名】明細書
【補正対象項目名】００１１
【補正方法】変更
【補正の内容】
【００１１】
本願発明は、上記課題を解決するための手段として次の構成を有している。尚、本願発明は、玉ねぎ類の葉・根連続切除機を対象としたものであるが、本願発明において処理の対象となる玉ねぎ類とは、玉ねぎ自体のほかに、ラッキョウ、ニンニク、ユリ根、球根等を含むものである。
【手続補正２】
【補正対象書類名】明細書
【補正対象項目名】００４０
【補正方法】変更
【補正の内容】
【００４０】
葉・根付き玉ねぎ類移送装置２１の両移送ロール２２，２２は、図２及び図３に示すように、モータ２３及び動力伝達部材（プーリとベルト、又はスプロケットとチエン等）２４からなる動力装置で、各ロール上面側が相互に内側に向けて回転されるように設定している。
【手続補正３】
【補正対象書類名】明細書
【補正対象項目名】００６３
【補正方法】変更
【補正の内容】
【００６３】
この根切断装置３５は、図２及び図７に示すように、左右一対の円盤刃物３６，３６を葉除去・根付き玉ねぎ類移送装置３１の終端部近傍位置における玉ねぎ類Ｔ１の根Ｔｃの付け根部分を切断し得る高さにセットし、該両円盤刃物３６，３６をモータ３７及び動力伝達部材（プーリとベルト、又はスプロケットとチエン等）３８からなる動力装置で回転せしめるようにしたものである。
【手続補正４】
【補正対象書類名】明細書
【補正対象項目名】００８１
【補正方法】変更
【補正の内容】
【００８１】
又、この実施例の葉・根連続切除機では、葉切断装置２５で葉Ｔｂを切除した葉除去・根付き玉ねぎ類Ｔ１（根Ｔｃが上向き）を、上下反転装置４により自動的に根Ｔｃが下向きになる姿勢で葉除去・根付き玉ねぎ類移送装置３１側に移乗させることができるので、葉切除ユニット２部分で処理する玉ねぎ類Ｔの姿勢と根切除ユニット３部分で処理する玉ねぎ類Ｔ１の姿勢とが上下逆であっても、該玉ねぎ類の姿勢を自動的に適正姿勢に変更することができる。従って、１台の切断機で、玉ねぎ類の葉と根とを連続して且つ確実に切断できるという機能がある。
【手続補正書】
【提出日】平成28年11月11日(2016.11.11)
【手続補正１】
【補正対象書類名】特許請求の範囲
【補正対象項目名】請求項１
【補正方法】変更
【補正の内容】
【請求項１】
ロータを囲むステータから延びるコイル端子が、樹脂製の端子支持部で支持されたコネクタ端子に、可撓性を有する板状の配線部材を介して接続され、
前記コネクタ端子と前記配線部材との接続部では、前記端子支持部から突出する前記コネクタ端子が、前記端子支持部に接触させた前記配線部材を貫通して、前記配線部材の前記端子支持部とは反対側の面に半田付けにより接続されたモータにおいて、
前記端子支持部と前記配線部材との間に、絶縁性の断熱部材を設けたことを特徴とするモータ。
【手続補正２】
【補正対象書類名】特許請求の範囲
【補正対象項目名】請求項３
【補正方法】変更
【補正の内容】
【請求項３】
前記周壁には、前記本体カバーの内側と前記コネクタカバーの内側とを連通させる開口部が設けられており、
前記開口部を通って前記ステータの径方向外側に延びる前記コイル端子は、前記コネクタカバーの内側で、前記ロータの回転軸方向に延びる前記コネクタ端子に、前記配線部材を介して接続されており、
前記コネクタカバーは、前記配線部材を径方向外側から視認可能とする開口を、有しており、
径方向外側から見て前記開口内には、前記端子支持部が前記回転軸方向から突出しており、前記端子支持部の径方向外側の側面が視認可能となっていることを特徴とする請求項２に記載のモータ。
【手続補正３】
【補正対象書類名】特許請求の範囲
【補正対象項目名】請求項５
【補正方法】変更
【補正の内容】
【請求項５】
前記コネクタ端子に沿って前記回転軸方向に延びる壁部を、前記端子支持部の内径側に設けると共に、前記壁部を、前記回転軸方向から見て前記コイル端子よりも径方向外側に位置させて、前記本体カバーと前記ステータとを組み付ける際に、前記コイル端子を通過させる隙間を、前記コネクタカバーの内側における前記壁部の内径側に形成したことを特徴とする請求項３から４の何れか一項に記載のモータ。
【手続補正４】
【補正対象書類名】特許請求の範囲
【補正対象項目名】請求項７
【補正方法】変更
【補正の内容】
【請求項７】
前記断熱部材の径方向の幅は、前記端子支持部の径方向の幅よりも狭くなっており、
前記断熱部材の内径側の側縁は、前記端子支持部の内径側の側縁よりも、径方向外側に位置していることを特徴とする請求項５または請求項６に記載のモータ。
【手続補正５】
【補正対象書類名】特許請求の範囲
【補正対象項目名】請求項８
【補正方法】変更
【補正の内容】
【請求項８】
前記配線部材と前記コネクタ端子との前記接続部と、前記配線部材と前記コイル端子との接続部は、前記回転軸方向でオフセットした位置に設けられていることを特徴とする請求項５から請求項７の何れか一項に記載のモータ。
【手続補正６】
【補正対象書類名】特許請求の範囲
【補正対象項目名】請求項１０
【補正方法】変更
【補正の内容】
【請求項１０】
前記断熱部材の融解温度は、樹脂製の前記端子支持部の融解温度よりも高いことを特徴とする請求項１から請求項９の何れか一項に記載のモータ。
【手続補正７】
【補正対象書類名】特許請求の範囲
【補正対象項目名】請求項１１
【補正方法】変更
【補正の内容】
【請求項１１】
前記コイル端子は、前記ステータに設けた前記端子保持部で支持されており、
コイルから引き出された巻き線は、前記配線部材と前記コイル端子との半田付け部よりも前記端子保持部側で、前記コイル端子に絡げられていることを特徴とする請求項５から請求項８の何れか一項に記載のモータ。
【手続補正書】
【提出日】平成28年6月9日(2016.6.9)
【手続補正１】
【補正対象書類名】特許請求の範囲
【補正対象項目名】全文
【補正方法】変更
【補正の内容】
【特許請求の範囲】
【請求項１】
加熱凝固してなるケーキ類（蒸しケーキ類を除く）であって、生地中に油脂を１０〜４０質量％含有させるとともに、前記油脂には、構成脂肪酸として炭素数６〜１０の中鎖脂肪酸を有するトリアシルグリセロールを前記油脂の５０質量％以上含有させることを特徴とする、しっとり感があり、かつ、ソフトな口どけを有し、しかも、香り立ちが良く、焼成後の型崩れが少ないケーキ類。
【請求項２】
前記ケーキ類がガトーショコラである、請求項１に記載のケーキ類。
【請求項３】
生地の原材料に、油脂を１０〜４０質量％含有させる工程（ここで前記油脂は、構成脂肪酸として炭素数６〜１０の中鎖脂肪酸を有するトリアシルグリセロールを前記油脂の５０質量％以上含有している。）、次いで、前記工程で得られた生地を計量し型に流し込んで加熱凝固させる工程を含む、しっとり感があり、かつ、ソフトな口どけを有し、しかも、香り立ちが良く、焼成後の型崩れが少ないケーキ類（蒸しケーキ類を除く）の製造方法。
【請求項４】
加熱凝固してなるケーキ類用（蒸しケーキ類を除く）の食感改質剤であって、炭素数６〜１０の中鎖脂肪酸を有するトリアシルグリセロールを有効成分とし、かつ、しっとり感があり、かつ、ソフトで口どけ良好なものとする食感改良効果が得られる、ケーキ類用食感改質剤。
【手続補正２】
【補正対象書類名】明細書
【補正対象項目名】００１０
【補正方法】変更
【補正の内容】
【００１０】
すなわち、本発明の一態様によれば、加熱凝固してなるケーキ類であって、生地中に油脂を１０〜４０質量％含有させるとともに、前記油脂には、構成脂肪酸として炭素数６〜１０の中鎖脂肪酸を有するトリアシルグリセロールを前記油脂の５０質量％以上含有させることを特徴とする、しっとり感があり、かつ、ソフトな口どけを有し、しかも、香り立ちが良く、焼成後の型崩れが少ないケーキ類を提供することができる。
本発明の好ましい態様によれば、上記ケーキ類がガトーショコラである、ケーキ類を提供することができる。
また、本発明の一態様によれば、生地の原材料に、油脂を１０〜４０質量％含有させる工程（ここで前記油脂は、構成脂肪酸として炭素数６〜１０の中鎖脂肪酸を有するトリアシルグリセロールを前記油脂の５０質量％以上含有している。）、次いで、前記工程で得られた生地を計量し型に流し込んで加熱凝固させる工程を含む、しっとり感があり、かつ、ソフトな口どけを有し、しかも、香り立ちが良く、焼成後の型崩れが少ないケーキ類の製造方法を提供することができる。
また、本発明の一態様によれば、加熱凝固してなるケーキ類用の食感改質剤であって、炭素数６〜１０の中鎖脂肪酸を有するトリアシルグリセロールを有効成分とし、かつ、しっとり感があり、かつ、ソフトで口どけ良好なものとする食感改良効果が得られる、ケーキ類用食感改質剤を提供することができる。
【手続補正書】
【提出日】平成28年6月9日(2016.6.9)
【手続補正１】
【補正対象書類名】特許請求の範囲
【補正対象項目名】全文
【補正方法】変更
【補正の内容】
【特許請求の範囲】
【請求項１】
穀物粉、油脂、及び糖類を主原料として使用した焼き菓子であって、穀物粉に対し、油脂を６０〜１２０質量％含有させるとともに、前記油脂が、マーガリン、ファットスプレッド、及びショートニングから選ばれる１種又は２種以上であり、前記油脂には、構成脂肪酸として炭素数６〜１０の中鎖脂肪酸を有するトリアシルグリセロールが前記油脂の５０質量％以上含まれていることを特徴とする、焼き菓子。
【請求項２】
前記炭素数６〜１０の中鎖脂肪酸を有するトリアシルグリセロールが前記油脂の６０．３質量％以上含まれている、請求項１に記載の焼き菓子。
【請求項３】
前記穀物粉が、強力粉、中力粉、薄力粉、小麦全粒粉、玄米粉、ライ麦、とうもろこし、全脂大豆粉、脱脂大豆粉、及び米粉から選ばれる１種又は２種以上である請求項１又は２に記載の焼き菓子。
【請求項４】
請求項１ないし３のいずれか１項に記載の焼き菓子を含む食品。
【請求項５】
穀物粉に対し、油脂を６０〜１２０質量％含有させた焼き菓子用の品質改変剤であって、前記油脂が、マーガリン、ファットスプレッド、及びショートニングから選ばれる１種又は２種以上であり、炭素数６〜１０の中鎖脂肪酸を含むトリアシルグリセロールを有効成分とする、前記焼き菓子用の品質改変剤。
【手続補正２】
【補正対象書類名】明細書
【補正対象項目名】００１０
【補正方法】変更
【補正の内容】
【００１０】
すなわち、本発明の一態様によれば、穀物粉、油脂、及び糖類を主原料として使用した焼き菓子であって、穀物粉に対し、油脂を６０〜１２０質量％含有させるとともに、前記油脂が、マーガリン、ファットスプレッド、及びショートニングから選ばれる１種又は２種以上であり、前記油脂には、構成脂肪酸として炭素数６〜１０の中鎖脂肪酸を有するトリアシルグリセロールが前記油脂の５０質量％以上含まれている、焼き菓子を提供することができる。
本発明の好ましい一態様によれば、前記炭素数６〜１０の中鎖脂肪酸を有するトリアシルグリセロールが前記油脂の６０．３質量％以上含まれている、焼き菓子を提供することができる。
本発明の好ましい一態様によれば、前記穀物粉が、強力粉、中力粉、薄力粉、小麦全粒粉、玄米粉、ライ麦、とうもろこし、全脂大豆粉、脱脂大豆粉、及び米粉から選ばれる１種又は２種以上である、焼き菓子を提供することができる。
本発明の好ましい一態様によれば、上記焼き菓子を含む食品を提供することができる。
また、本発明の一態様によれば、穀物粉に対し、油脂を６０〜１２０質量％含有させた焼き菓子用の品質改変剤であって、前記油脂が、マーガリン、ファットスプレッド、及びショートニングから選ばれる１種又は２種以上であり、炭素数６〜１０の中鎖脂肪酸を含むトリアシルグリセロールを有効成分とする、前記焼き菓子用の品質改変剤を提供することができる。
【手続補正書】
【提出日】平成28年3月1日(2016.3.1)
【手続補正１】
【補正対象書類名】特許請求の範囲
【補正対象項目名】全文
【補正方法】変更
【補正の内容】
【特許請求の範囲】
【請求項１】
かいわれ大根（スプラウト）などの水耕栽培に関するもので、本栽培器はプラスチック製ネットを浮力の大きい発泡スチロールなどの枠の上に乗せるか、組み込んだ形態のものである。これを水槽に沈めると、ネットの細孔による表面張力で引っ張られ、栽培器は完全には浮上せず、ネット部が水表に保持された状態で静止する。かくて、水面すれすれの濡れた状態にあるネットに種子を蒔くが、成長に伴い荷重が増大しても、栽培器本体の浮力もプラスし、ネット部は水面下に沈まない状態にある。
スプラウトなどの種類により、種子がネットの網目よりも小粒の場合には、ティッシュペーパーなどを敷いて種子を蒔く。こうした水耕栽培器。
さらには、野菜等の苗を植え水耕栽培を行う場合にも、発泡スチロール製など軟らかく、ピッチの大きいネットにティッシュペーパー様の紙を敷き、同様の原理で栽培成長させるための栽培器。
【手続補正書】
【提出日】平成28年9月26日(2016.9.26)
【手続補正１】
【補正対象書類名】明細書
【補正対象項目名】００５３
【補正方法】変更
【補正の内容】
【００５３】
加えて、リード電極１０７の端子を上面視で整流素子Ｓ１のパッケージの中心軸Ｏ上に配置することで、該パッケージにおけるリード電極１０７の対称性が図れ、リード電極１０７に印加される曲げ力に対する耐性(剛性)を向上させることができる。
さらに、リード電極１０７の端子を上面視で整流素子Ｓ１のパッケージの中心軸Ｏ上に配置することで、ＭＯＳＦＥＴチップ１０３の上面視で回転軸(中心軸Ｏ)周りの位置合わせが不要である。つまり、整流素子Ｓ１のパッケージの芯だしを行うことで、整流素子Ｓ１の位置決めを行うことができる。
【手続補正２】
【補正対象書類名】明細書
【補正対象項目名】００７６
【補正方法】変更
【補正の内容】
【００７６】
図１〜図３の実施例では、ＭＯＳＦＥＴチップ１０３のドレイン電極１０３ｄとベース電極１０１およびＭＯＳＦＥＴチップ１０３のソース電極１０３ｓとリード電極１０７とは半田１０９で接続されているが、圧接方式で接続してもよい。圧接方式では、ＭＯＳＦＥＴチップ１０３を間に置いた状態でベース電極１０１とリード電極１０７間に数ｋＮ／ｃｍ２程度の力を加え、半田を使わずに、ＭＯＳＦＥＴチップ１０３のドレイン電極１０３ｄとベース電極１０１およびＭＯＳＦＥＴチップ１０３のソース電極１０３ｓとリード電極１０７とが、電気的、熱的に接続される。
【手続補正３】
【補正対象書類名】明細書
【補正対象項目名】００７７
【補正方法】変更
【補正の内容】
【００７７】
前記したように、“熱的に”とは、ＭＯＳＦＥＴチップ１０３のドレイン電極１０３ｄの延在面とベース電極１０１の延在面、および、ＭＯＳＦＥＴチップ１０３のソース電極１０３ｓの延在面とリード電極１０７の延在面とが、それぞれ圧接して接触して広い伝熱面積をもって接続されるので、ＭＯＳＦＥＴチップ１０３で発生する熱が良好に、ベース電極１０１とリード電極１０７とに逃げることができることを意味する。
【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
同期整流を行う整流ＭＯＳＦＥＴと、
前記整流ＭＯＳＦＥＴの一対の主端子間の電圧を入力し、入力した前記一対の主端子間の電圧に基づいて前記整流ＭＯＳＦＥＴのオン・オフを判定する判定回路と、
前記判定回路の判定結果により前記整流ＭＯＳＦＥＴのゲートのオン・オフを行い、前記整流ＭＯＳＦＥＴをオフするときにゲート電圧の降圧に要する時間よりも前記整流ＭＯＳＦＥＴをオンするときにゲート電圧の昇圧に要する時間が長くなるように構成されるゲート駆動回路と、
を備えることを特徴とする整流装置。
【請求項２】
前記ゲート駆動回路は、
ハイ側ＭＯＳＦＥＴおよびロウ側ＭＯＳＦＥＴを備えて、出力が前記整流ＭＯＳＦＥＴのゲートに接続される第１のＣＭＯＳバッファを含んで構成され、
前記整流ＭＯＳＦＥＴをオンするときに前記第１のＣＭＯＳバッファのハイ側ＭＯＳＦＥＴに流れる電流は、前記整流ＭＯＳＦＥＴをオフするときに前記第１のＣＭＯＳバッファのロウ側ＭＯＳＦＥＴに流れる電流よりも小さい、
ことを特徴とする請求項１に記載の整流装置。
【請求項３】
前記第１のＣＭＯＳバッファは、ハイ側ＭＯＳＦＥＴのゲート幅をゲート長で除算した商よりも、ロウ側ＭＯＳＦＥＴのゲート幅をゲート長で除算した商の２倍の方が大きくなるように構成される、
ことを特徴とする請求項２に記載の整流装置。
【請求項４】
前記第１のＣＭＯＳバッファは、ハイ側ＭＯＳＦＥＴと直列、かつ、
前記整流ＭＯＳＦＥＴのゲートをオンするときの電流経路に抵抗が接続される、
ことを特徴とする請求項２に記載の整流装置。
【請求項５】
前記第１のＣＭＯＳバッファは、ハイ側ＭＯＳＦＥＴと直列、かつ、
前記整流ＭＯＳＦＥＴのゲートをオンするときの電流経路に定電流回路が接続される、
ことを特徴とする請求項２に記載の整流装置。
【請求項６】
前記第１のＣＭＯＳバッファの出力と前記整流ＭＯＳＦＥＴのゲートとの間には、抵抗とダイオードとが並列に接続され、
前記ダイオードは、前記整流ＭＯＳＦＥＴのゲートから前記第１のＣＭＯＳバッファの出力へと電流が流れる向きに接続される、
ことを特徴とする請求項２に記載の整流装置。
【請求項７】
前記ゲート駆動回路は、出力が前記第１のＣＭＯＳバッファの入力に接続された第２のＣＭＯＳバッファを備え、
前記整流ＭＯＳＦＥＴをオンするときに前記第２のＣＭＯＳバッファのロウ側ＭＯＳＦＥＴに流れる電流は、前記整流ＭＯＳＦＥＴをオフするときに前記第２のＣＭＯＳバッファのハイ側ＭＯＳＦＥＴに流れる電流よりも小さい、
ことを特徴とする請求項２に記載の整流装置。
【請求項８】
前記第２のＣＭＯＳバッファは、ハイ側ＭＯＳＦＥＴのゲート幅をゲート長で除算した商よりも、ロウ側ＭＯＳＦＥＴのゲート幅をゲート長で除算した商の２倍の方が小さくなるように構成される、
ことを特徴とする請求項７に記載の整流装置。
【請求項９】
前記ゲート駆動回路は、出力が前記第２のＣＭＯＳバッファの入力に接続された第３のＣＭＯＳバッファを備え、
前記整流ＭＯＳＦＥＴをオンするときに前記第３のＣＭＯＳバッファのハイ側ＭＯＳＦＥＴに流れる電流は、前記整流ＭＯＳＦＥＴをオフするときに前記第３のＣＭＯＳバッファのロウ側ＭＯＳＦＥＴに流れる電流よりも小さい、
ことを特徴とする請求項７に記載の整流装置。
【請求項１０】
前記第３のＣＭＯＳバッファは、ハイ側ＭＯＳＦＥＴのゲート幅をゲート長で除算した商よりも、ロウ側ＭＯＳＦＥＴのゲート幅をゲート長で除算した商の２倍の方が大きくなるように構成される、
ことを特徴とする請求項９に記載の整流装置。
【請求項１１】
前記判定回路は、ＭＯＳＦＥＴで構成されるコンパレータである、
ことを特徴とする請求項１に記載の整流装置。
【請求項１２】
前記判定回路に流れる電流が前記判定回路に備えられた定電流回路によって決定される、
ことを特徴とする請求項１に記載の整流装置。
【請求項１３】
前記判定回路は、バイポーラトランジスタと、ダイオードとを備え、
前記整流ＭＯＳＦＥＴがオン・オフのいずれかの第１状態の場合に、前記バイポーラトランジスタがオフ状態かつ前記ダイオードに順方向電流が流れ、
前記整流ＭＯＳＦＥＴが前記第１状態とは異なるオン・オフいずれかの第２状態の場合に、前記バイポーラトランジスタがオン状態かつ前記ダイオードに順方向電流が流れない、
ことを特徴とする請求項１に記載の整流装置。
【請求項１４】
前記整流ＭＯＳＦＥＴをオフするときにゲート電圧の降圧に要する時間は、ゲート電圧が最大ゲート電圧の９０％となってから前記整流ＭＯＳＦＥＴの閾値電圧に達するまでの時間であり、
前記整流ＭＯＳＦＥＴをオンするときにゲート電圧の昇圧に要する時間は、ゲート電圧が最大ゲート電圧の１０％となってから前記整流ＭＯＳＦＥＴの閾値電圧に達するまでの時間である、
ことを特徴とする請求項１に記載の整流装置。
【請求項１５】
直流端子がバッテリに、交流端子が交流電源に接続されるブリッジ型の整流回路と、
前記整流回路のハイサイドおよびロウサイドにそれぞれ接続される、請求項１ないし請求項１４のいずれか１項に記載の整流装置と、
を備えることを特徴とするオルタネータ。
【請求項１６】
直流端子がエネルギ蓄積部に、交流端子が交流電源に接続されるブリッジ型の整流回路と、
前記整流回路のハイサイドおよびロウサイドにそれぞれ接続される、請求項１ないし請求項１４のいずれか１項に記載の整流装置と、
を備えることを特徴とする電力変換装置。
【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
熱転写受像シートの支持体と受容層との間に設けられる熱転写受像シート用表面基材であって、
前記熱転写受像シート用表面基材は、基材層の一方の面に表面層が設けられ、前記基材層の他方の面に裏面層が設けられた積層構成を呈しており、
前記基材層は、（Ａ）プロピレン系重合体、（Ｂ）炭酸カルシウム、（Ｃ）酸化チタンを含有しており、かつ、前記（Ａ）と（Ｂ）と（Ｃ）の合計質量を１００質量％としたときの前記（Ａ）の質量が７０質量％以上９４．５質量％以下、前記（Ｂ）の質量が５質量％以上２８質量％以下、前記（Ｃ）の質量が０．５質量％以上３質量％未満であり、
前記表面層は、酸変性されたプロピレン系重合体を含有しており、
前記裏面層は、プロピレン系重合体を含有していることを特徴とする熱転写受像シート用表面基材。
【請求項２】
前記表面層は、（Ｄ）プロピレン単独重合体、又は（Ｄ）プロピレン単独重合体と、（Ｅ）プロピレン・α−オレフィンランダム共重合体とを含有しており、
前記表面層が、前記（Ｅ）を含有していない場合には、前記（Ｄ）が、前記酸変性されたプロピレン系重合体であり、
前記表面層が、前記（Ｅ）を含有している場合には、前記（Ｄ）と前記（Ｅ）の合計質量を１００質量％としたときの、前記（Ｅ）の質量が５０質量％以下であり、かつ、前記（Ｄ）、及び（Ｅ）の何れか一方又は双方が、前記酸変性されたプロピレン系重合体であることを特徴とする請求項１に記載の熱転写受像シート用表面基材。
【請求項３】
前記裏面層は、（Ｆ）プロピレン単独重合体と、（Ｇ）プロピレン・α−オレフィンランダム共重合体とを含有しており、かつ（Ｆ）と（Ｇ）の合計質量を１００質量％としたときの（Ｆ）の質量が４０質量％以上９０質量％以下であることを特徴とする請求項１又は２に記載の熱転写受像シート用表面基材。
【請求項４】
前記酸変性されたプロピレン系重合体が、不飽和カルボン酸若しくはその誘導体でグラフト変性されたプロピレン系重合体であることを特徴とする請求項１乃至３の何れか１項に記載の熱転写受像シート用表面基材。
【請求項５】
前記表面層の厚みが、０．５μｍ以上１０μｍ以下であることを特徴とする請求項１乃至４の何れか１項に記載の熱転写受像シート用表面基材。
【請求項６】
前記表面層上に、さらに接着層が設けられていることを特徴とする請求項１乃至５の何れか１項に記載の熱転写受像シート用表面基材。
【請求項７】
支持体の一方の面に受容層が設けられた熱転写受像シートであって、
前記支持体と、前記受容層との間に、前記支持体から、前記裏面層、前記基材層、前記表面層がこの順となるように、請求項１乃至６の何れか１項に記載の熱転写受像シート用表面基材が設けられていることを特徴とする熱転写受像シート。
【請求項８】
前記支持体の厚みが、１５０μｍ以上３００μｍ以下であることを特徴とする請求項７に記載の熱転写受像シート。
【手続補正書】
【提出日】平成28年3月29日(2016.3.29)
【手続補正１】
【補正対象書類名】特許請求の範囲
【補正対象項目名】全文
【補正方法】変更
【補正の内容】
【特許請求の範囲】
【請求項１】
フラッシングドットを含むｎ列×ｍ行（ｎ、ｍはいずれも２以上の整数）の基準フラッシングパターンを列方向および行方向に配列して、印刷データの印刷サイズに対応するサイズの印刷フラッシングパターンを生成し、
前記印刷データに基づいて生成したインクドットの配列の印刷ドットパターンと、前記印刷フラッシングパターンとを重ね合わせて、前記印刷ドットパターンに含まれる前記インクドットと前記印刷フラッシングパターンに含まれる前記フラッシングドットとが重なった位置の印刷ドットのサイズを、前記重なった位置の前記インクドットのサイズと前記重なった位置の前記フラッシングドットのサイズに基づいて補正して合成ドットパターンを生成し、
前記合成ドットパターンに基づいて印刷ヘッドのインクノズルから記録媒体にインクを吐出して印刷を行うことを特徴とする印刷方法。
【請求項２】
前記重なった位置の前記インクドットのサイズと前記重なった位置の前記フラッシングドットのサイズとが異なる場合、前記重なった位置の前記インクドットのサイズと前記重なった位置の前記フラッシングドットのサイズのうち大きいドットのサイズに前記印刷ドットのサイズを補正する請求項１に記載の印刷方法。
【請求項３】
前記重なった位置の前記インクドットのサイズおよび前記重なった位置の前記フラッシングドットのサイズが、予め定められたサイズよりも小さい場合、前記印刷ドットのサイズを前記予め定められたサイズに補正する請求項１に記載の印刷方法。
【請求項４】
前記印刷ドットパターンに含まれる前記インクドットと、前記印刷フラッシングパターンに含まれる前記フラッシングドットとが重なった場合、前記インクドットのサイズ、前記フラッシングドットのサイズ、及び補正後の前記印刷ドットのサイズを対応付けた合成テーブルに基づき、前記印刷ドットのサイズを補正する請求項１ないし３のいずれか１項に記載の印刷方法。
【請求項５】
前記印刷ヘッドをメンテナンスユニットに対向させて、予め設定したタイミングで前記メンテナンスユニットにインクを吐出するフラッシングを行う請求項１ないし４のいずれか１項に記載の印刷方法。
【請求項６】
前記フラッシングパターンは、前記フラッシングドットを１列に１つ含む請求項１ないし５のいずれか１項に記載の印刷方法。
【請求項７】
インクノズルを備える印刷ヘッドと、
記録媒体を搬送する搬送機構と、
フラッシングドットを含むｎ列×ｍ行（ｎ、ｍはいずれも２以上の整数）の基準フラッシングパターンを記憶する記憶部と、
前記基準フラッシングパターンを列方向および行方向に配列して、印刷データの印刷サイズに対応するサイズの印刷フラッシングパターンを生成するフラッシングパターン決定部と、
前記印刷データに基づいて生成されたインクドットの配列の印刷ドットパターンと、前記印刷フラッシングパターンとを合成して合成ドットパターンを生成するフラッシングパターン合成部と、
前記合成ドットパターンに基づいて前記インクノズルからインクを吐出させる印刷制御部と、
を備え、
前記フラッシングパターン合成部は、
前記印刷ドットパターンと前記印刷フラッシングパターンとを重ね合わせて、前記印刷ドットパターンに含まれる前記インクドットと前記印刷フラッシングパターンに含まれる前記フラッシングドットとが重なった位置の印刷ドットのサイズを、前記重なった位置の前記インクドットのサイズと前記重なった位置の前記フラッシングドットのサイズに基づいて補正して前記合成ドットパターンを生成することを特徴とする印刷装置。
【請求項８】
前記重なった位置の前記インクドットのサイズと前記重なった位置の前記フラッシングドットのサイズとが異なる場合、前記重なった位置の前記インクドットのサイズと前記重なった位置の前記フラッシングドットのサイズのうち大きいドットのサイズを前記印刷ドットのサイズに補正する請求項７に記載の印刷装置。
【手続補正２】
【補正対象書類名】明細書
【補正対象項目名】０００８
【補正方法】変更
【補正の内容】
【０００８】
上記の課題を解決するために、本発明の印刷方法は、フラッシングドットを含むｎ列×ｍ行（ｎ、ｍはいずれも２以上の整数）の基準フラッシングパターンを列方向および行方向に配列して、印刷データの印刷サイズに対応するサイズの印刷フラッシングパターンを生成し、前記印刷データに基づいて生成したインクドットの配列の印刷ドットパターンと、前記印刷フラッシングパターンとを重ね合わせて、前記印刷ドットパターンに含まれる前記インクドットと前記印刷フラッシングパターンに含まれる前記フラッシングドットとが重なった位置の印刷ドットのサイズを、前記重なった位置の前記インクドットのサイズと前記重なった位置の前記フラッシングドットのサイズに基づいて補正して合成ドットパターンを生成し、前記合成ドットパターンに基づいて印刷ヘッドのインクノズルから記録媒体にインクを吐出して印刷を行うことを特徴とする。
【手続補正３】
【補正対象書類名】明細書
【補正対象項目名】０００９
【補正方法】変更
【補正の内容】
【０００９】
また、本発明の印刷装置は、インクノズルを備える印刷ヘッドと、記録媒体を搬送する搬送機構と、フラッシングドットを含むｎ列×ｍ行（ｎ、ｍはいずれも２以上の整数）の基準フラッシングパターンを記憶する記憶部と、前記基準フラッシングパターンを列方向および行方向に配列して、印刷データの印刷サイズに対応するサイズの印刷フラッシングパターンを生成するフラッシングパターン決定部と、前記印刷データに基づいて生成されたインクドットの配列の印刷ドットパターンと、前記印刷フラッシングパターンとを合成して合成ドットパターンを生成するフラッシングパターン合成部と、前記合成ドットパターンに基づいて前記インクノズルからインクを吐出させる印刷制御部と、を備え、前記フラッシングパターン合成部は、前記印刷ドットパターンと前記印刷フラッシングパターンとを重ね合わせて、前記印刷ドットパターンに含まれる前記インクドットと前記印刷フラッシングパターンに含まれる前記フラッシングドットとが重なった位置の印刷ドットのサイズを、前記重なった位置の前記インクドットのサイズと前記重なった位置の前記フラッシングドットのサイズに基づいて補正して前記合成ドットパターンを生成することを特徴とする。
【手続補正４】
【補正対象書類名】明細書
【補正対象項目名】００１１
【補正方法】変更
【補正の内容】
【００１１】
また、前記重なった位置の前記インクドットのサイズと前記重なった位置の前記フラッシングドットのサイズとが異なる場合、前記重なった位置のインクドットのサイズと前記重なった位置のフラッシングドットのサイズのうち大きいドットのサイズに前記印刷ドットのサイズを補正することが望ましい。このようにすると、フラッシングドットのサイズ以上のサイズのドットを確実に形成しつつ、印刷結果の変化を少なくすることができる。あるいは、前記重なった位置のインクドットのサイズおよび前記重なった位置のフラッシングドットのサイズが、予め定められたサイズよりも小さい場合、前記印刷ドットのサイズを前記予め定められたサイズに補正することが望ましい。このようにすると、予め定められたサイズ以上のサイズのドットを確実に形成できる。
【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
メンテナンスユニットに向けてインクを吐出するフラッシングの頻度を第１の頻度とする第１のモードで印刷を行うときには、
フラッシングドットを含むｎ列×ｍ行（ｎ、ｍはいずれも２以上の整数）の第１のフラッシングパターンを記録媒体の搬送方向と交差する列方向および前記搬送方向である行方向に配列して、第１の印刷フラッシングパターンを生成し、
前記フラッシングの頻度を前記第１の頻度と異なる第２の頻度とする第２のモードで印刷を行うときには、
前記第１のフラッシングパターンの行数を前記第２の頻度に対応する行数に増減した第２のフラッシングパターンを生成し、前記第２のフラッシングパターンを前記列方向および前記行方向に配列して、第２の印刷フラッシングパターンを生成することを特徴とする印刷方法。
【請求項２】
前記第１のモードの前記第１の頻度は、前記第２のモードの前記第２の頻度よりも小さい請求項１に記載の印刷方法。
【請求項３】
前記第１のフラッシングパターンに空白行を付加して、前記第１のフラッシングパターンより行数の多い前記第２のフラッシングパターンを生成する請求項２に記載の印刷方法。
【請求項４】
前記第１のフラッシングパターンは、前記フラッシングドットを１列に１つ含む請求項１ないし３のいずれか１項に記載の印刷方法。
【請求項５】
インクノズルを備える印刷ヘッドと、
記録媒体を搬送する搬送機構と、
前記印刷ヘッドの前記インクノズルから吐出されたインクを受けるメンテナンスユニットと、
前記印刷ヘッドによる印刷のモードを、前記メンテナンスユニットにインクを吐出するフラッシングを第１の頻度で実行する第１のモード、もしくは、前記第１の頻度と異なる第２の頻度で前記フラッシングを実行する第２のモードに設定するモード設定部と、
フラッシングドットを含むｎ列×ｍ行（ｎ、ｍはいずれも２以上の整数）の第１のフラッシングパターンを記憶する記憶部と、
印刷データに基づいて印刷ドットパターンを生成する印刷ドットパターン生成部と、
前記第１のモードでは、前記第１のフラッシングパターンを前記記録媒体の搬送方向と交差する列方向および前記搬送方向である行方向に配列して第１の印刷フラッシングパターンを生成し、前記第２のモードでは、前記第１のフラッシングパターンの行数を前記第２の頻度に対応する行数に増減した第２のフラッシングパターンを生成して、前記第２のフラッシングパターンを前記列方向および前記行方向に配列して第２の印刷フラッシングパターンを生成するフラッシングパターン決定部と、
前記印刷ドットパターンと、前記第１の印刷フラッシングパターンもしくは前記第２の印刷フラッシングパターンとを合成するフラッシングパターン合成部と、
前記フラッシングパターン合成部で生成されたデータに基づいて前記印刷ヘッドからインクを吐出させる印刷制御部と、
を有することを特徴とする印刷装置。
【請求項６】
前記第１のモードの前記第１の頻度は、前記第２のモードの前記第２の頻度よりも小さい請求項５に記載の印刷装置。
【請求項７】
前記フラッシングパターン決定部は、前記第１のフラッシングパターンに空白行を付加して、前記第１のフラッシングパターンより行数の多い前記第２のフラッシングパターンを生成する請求項６に記載の印刷装置。
【請求項８】
前記第１のフラッシングパターンは、前記フラッシングドットを１列に１つ含む請求項５ないし７のいずれか１項に記載の印刷装置。
【手続補正２】
【補正対象書類名】明細書
【補正対象項目名】０００８
【補正方法】変更
【補正の内容】
【０００８】
上記の課題を解決するために、本発明は、メンテナンスユニットに向けてインクを吐出するフラッシングの頻度を第１の頻度とする第１のモードで印刷を行うときには、フラッシングドットを含むｎ列×ｍ行（ｎ、ｍはいずれも２以上の整数）の第１のフラッシングパターンを記録媒体の搬送方向と交差する列方向および前記搬送方向である行方向に配列して、第１の印刷フラッシングパターンを生成し、前記フラッシングの頻度を前記第１の頻度と異なる第２の頻度とする第２のモードで印刷を行うときには、前記第１のフラッシングパターンの行数を前記第２の頻度に対応する行数に増減した第２のフラッシングパターンを生成し、前記第２のフラッシングパターンを前記列方向および前記行方向に配列して、第２の印刷フラッシングパターンを生成することを特徴とする。
【手続補正３】
【補正対象書類名】明細書
【補正対象項目名】０００９
【補正方法】変更
【補正の内容】
【０００９】
また、本発明の印刷装置は、インクノズルを備える印刷ヘッドと、記録媒体を搬送する搬送機構と、前記印刷ヘッドの前記インクノズルから吐出されたインクを受けるメンテナンスユニットと、前記印刷ヘッドによる印刷のモードを、前記メンテナンスユニットにインクを吐出するフラッシングを第１の頻度で実行する第１のモード、もしくは、前記第１の頻度と異なる第２の頻度で前記フラッシングを実行する第２のモードに設定するモード設定部と、フラッシングドットを含むｎ列×ｍ行（ｎ、ｍはいずれも２以上の整数）の第１のフラッシングパターンを記憶する記憶部と、印刷データに基づいて印刷ドットパターンを生成する印刷ドットパターン生成部と、前記第１のモードでは、前記第１のフラッシングパターンを前記記録媒体の搬送方向と交差する列方向および前記搬送方向である行方向に配列して第１の印刷フラッシングパターンを生成し、前記第２のモードでは、前記第１のフラッシングパターンの行数を前記第２の頻度に対応する行数に増減した第２のフラッシングパターンを生成して、前記第２のフラッシングパターンを前記列方向および前記行方向に配列して第２の印刷フラッシングパターンを生成するフラッシングパターン決定部と、前記印刷ドットパターンと、前記第１の印刷フラッシングパターンもしくは前記第２の印刷フラッシングパターンとを合成するフラッシングパターン合成部と、前記フラッシングパターン合成部で生成されたデータに基づいて前記印刷ヘッドからインクを吐出させる印刷制御部と、を有することを特徴とする。
【手続補正書】
【提出日】平成28年3月29日(2016.3.29)
【手続補正１】
【補正対象書類名】特許請求の範囲
【補正対象項目名】全文
【補正方法】変更
【補正の内容】
【特許請求の範囲】
【請求項１】
フラッシングドットを含むｎ列×ｍ行（ｎ、ｍはいずれも２以上の整数）の基準フラッシングパターンを記録媒体の搬送方向と交差する列方向および前記搬送方向である行方向に配列して、印刷フラッシングパターンを決定し、
第１の印刷データに基づいて生成した第１の印刷ドットパターンと前記印刷フラッシングパターンとを合成した第１の合成ドットパターンを生成し、前記第１の合成ドットパターンに基づく印刷ヘッドからのインクの吐出と前記記録媒体の搬送とを行い、
前記第１の印刷データに続いて第２の印刷データを印刷するときに、前記第１の印刷ドットパターンに合成された前記印刷フラッシングパターンの最終行が前記フラッシングパターンのｋ行（ｋ＜ｍの整数）である場合、
前記第２の印刷データに基づいて生成した第２の印刷ドットパターンと合成される前記印刷フラッシングパターンの先頭行を、前記フラッシングパターンのｋ＋１行にして第２の合成ドットパターンを生成し、
前記第２の合成ドットパターンに基づく前記印刷ヘッドからのインクの吐出と前記記録媒体の搬送とを行うことを特徴とする印刷方法。
【請求項２】
前記印刷ヘッドをメンテナンスユニットに対向させて、予め設定したタイミングで前記メンテナンスユニットにインクを吐出するフラッシングを行う請求項１に記載の印刷方法。
【請求項３】
前記基準フラッシングパターンは、前記フラッシングドットを１列に１つ含む請求項１または２に記載の印刷方法。
【請求項４】
インクノズルを有する印刷ヘッドと、
記録媒体を搬送する搬送機構と、
フラッシングドットを含むｎ列×ｍ行（ｎ、ｍはいずれも２以上の整数）の基準フラッシングパターンを記憶する記憶部と、
前記基準フラッシングパターンを前記記録媒体の搬送方向と交差する列方向および前記搬送方向である行方向に配列して印刷フラッシングパターンを生成するフラッシングパターン決定部と、
第１の印刷データに基づいて第１の印刷ドットパターンを生成し、第２の印刷データに基づいて第２の印刷ドットパターンを生成する印刷ドットパターン生成部と、
前記第１の印刷データに続いて前記第２の印刷データを印刷するときに、前記第１の印刷ドットパターンと、最終行が前記フラッシングパターンのｋ行（ｋ＜ｍの整数）である前記印刷フラッシングパターンとを合成した第１の合成ドットパターンを生成し、前記第２の印刷ドットパターンと、先頭行が前記フラッシングパターンのｋ＋１行である前記印刷フラッシングパターンとを合成した第２の合成ドットパターンを生成するフラッシングパターン合成部と、
前記第１の合成ドットパターン、および、前記第２の合成ドットパターンに基づいて前記インクノズルからインクを吐出させる印刷制御部と、
を有することを特徴とする印刷装置。
【請求項５】
前記印刷ヘッドの前記インクノズルから吐出されたインクを受けるメンテナンスユニットと、
前記印刷ヘッドを前記メンテナンスユニットに対向させて、予め設定したタイミングで前記メンテナンスユニットにインクを吐出するフラッシングを実行させるフラッシング実行部と、
を有する請求項４に記載の印刷装置。
【請求項６】
前記基準フラッシングパターンは、前記フラッシングドットを１列に１つ含む請求項４または５に記載の印刷装置。
【手続補正２】
【補正対象書類名】明細書
【補正対象項目名】０００８
【補正方法】変更
【補正の内容】
【０００８】
上記の課題を解決するために、本発明の印刷方法は、フラッシングドットを含むｎ列×ｍ行（ｎ、ｍはいずれも２以上の整数）の基準フラッシングパターンを記録媒体の搬送方向と交差する列方向および前記搬送方向である行方向に配列して、印刷フラッシングパターンを決定し、第１の印刷データに基づいて生成した第１の印刷ドットパターンと、前記印刷フラッシングパターンとを合成した第１の合成ドットパターンを生成し、前記第１の合成ドットパターンに基づく印刷ヘッドからのインクの吐出と、前記記録媒体の搬送とを行い、前記第１の印刷データに続いて第２の印刷データを印刷するときに、前記第１の印刷ドットパターンに合成された前記印刷フラッシングパターンの最終行が前記フラッシングパターンのｋ行（ｋ＜ｍの整数）である場合、前記第２の印刷データに基づいて生成した第２の印刷ドットパターンと合成される前記印刷フラッシングパターンの先頭行を、前記フラッシングパターンのｋ＋１行にして第２の合成ドットパターンを生成し、前記第２の合成ドットパターンに基づく前記印刷ヘッドからのインクの吐出と、前記記録媒体の搬送とを行うことを特徴とする。
【手続補正書】
【提出日】平成28年3月30日(2016.3.30)
【手続補正１】
【補正対象書類名】特許請求の範囲
【補正対象項目名】全文
【補正方法】変更
【補正の内容】
【特許請求の範囲】
【請求項１】
フラッシングドットを含むｎ列×ｍ行（ｎ、ｍはいずれも２以上の整数）の基準フラッシングパターンを記録媒体の搬送方向と交差する列方向および前記搬送方向である行方向に配列して、印刷フラッシングパターンを生成し、
印刷データに基づいて第１の色の印刷ドットパターンと、第２の色の印刷ドットパターンを生成し、
前記第１の色の印刷ドットパターンと前記印刷フラッシングパターンとを合成した第１の合成ドットパターン、および、前記第２の色の印刷ドットパターンと前記印刷フラッシングパターンとをオフセット情報に基づいて合成した第２の合成ドットパターンを生成し、
前記第１の合成ドットパターンおよび前記第２の合成ドットパターンに基づいて、前記第１の色のインクおよび前記第２の色のインクを印刷ヘッドから前記記録媒体に吐出することを特徴とする印刷方法。
【請求項２】
前記オフセット情報は、前記第１の色の印刷ドットパターンに合成される前記印刷フラッシングパターンの前記列方向および前記行方向の位置に対する、前記第２の色の印刷ドットパターンに合成される前記印刷フラッシングパターンの前記列方向および前記行方向へのオフセット位置である請求項１に記載の印刷方法。
【請求項３】
前記印刷ヘッドをメンテナンスユニットに対向させて、予め設定したタイミングで前記メンテナンスユニットにインクを吐出するフラッシングを行う請求項１または２に記載の印刷方法。
【請求項４】
前記基準フラッシングパターンは、前記フラッシングドットを１列に１つ含む請求項１ないし３のいずれか１項に記載の印刷方法。
【請求項５】
第１の色のインクを吐出する第１のインクノズルおよび第２の色のインクを吐出する第２のインクノズルを備える印刷ヘッドと、
記録媒体を搬送する搬送機構と、
印刷データに基づいて前記第１の色の印刷ドットパターンおよび前記第２の色の印刷ドットパターンを生成する印刷ドットパターン生成部と、
フラッシングドットを含むｎ列×ｍ行（ｎ、ｍはいずれも２以上の整数）の基準フラッシングパターンと、オフセット情報とを記憶する記憶部と、
前記基準フラッシングパターンを前記記録媒体の搬送方向と交差する列方向および前記搬送方向である行方向に配列して、印刷フラッシングパターンを生成するフラッシングパターン決定部と、
前記第１の色の印刷ドットパターンと前記印刷フラッシングパターンとを合成した第１の合成ドットパターン、および、前記第２の色の印刷ドットパターンと前記印刷フラッシングパターンとを前記オフセット情報に基づいて合成した第２の合成ドットパターンを生成するフラッシングパターン合成部と、
前記フラッシングパターン合成部で生成されたデータに基づいて前記印刷ヘッドからインクを吐出させる印刷制御部と、
を有することを特徴とする印刷装置。
【請求項６】
前記オフセット情報は、前記第１の色の印刷ドットパターンに合成される前記印刷フラッシングパターンの前記列方向および前記行方向の位置に対する、前記第２の色の印刷ドットパターンに合成される前記印刷フラッシングパターンの前記列方向および前記行方向のオフセット位置である請求項５に記載の印刷装置。
【請求項７】
前記印刷ヘッドの前記第１のインクノズルおよび前記第２のインクノズルから吐出されたインクを受けるメンテナンスユニットと、
前記印刷ヘッドを前記メンテナンスユニットに対向させて、予め設定したタイミングで前記メンテナンスユニットにインクを吐出するフラッシングを実行させるフラッシング実行部と、
を有する請求項５または６に記載の印刷装置。
【請求項８】
前記基準フラッシングパターンは、前記フラッシングドットを１列に１つ含む請求項５ないし７のいずれか１項に記載の印刷装置。
【手続補正２】
【補正対象書類名】明細書
【補正対象項目名】０００８
【補正方法】変更
【補正の内容】
【０００８】
上記の課題を解決するために、本発明の印刷方法は、フラッシングドットを含むｎ列×ｍ行（ｎ、ｍはいずれも２以上の整数）の基準フラッシングパターンを記録媒体の搬送方向と交差する列方向および前記搬送方向である行方向に配列して、印刷フラッシングパターンを生成し、印刷データに基づいて第１の色の印刷ドットパターンと、第２の色の印刷ドットパターンを生成し、前記第１の色の印刷ドットパターンと前記印刷フラッシングパターンとを合成した第１の合成ドットパターン、および、前記第２の色の印刷ドットパターンと前記印刷フラッシングパターンとをオフセット情報に基づいて合成した第２の合成ドットパターンを生成し、前記第１の合成ドットパターンおよび前記第２の合成ドットパターンに基づいて、前記第１の色のインクおよび前記第２の色のインクを印刷ヘッドから前記記録媒体に吐出することを特徴とする。
【手続補正３】
【補正対象書類名】明細書
【補正対象項目名】０００９
【補正方法】変更
【補正の内容】
【０００９】
また、本発明の印刷装置は、第１の色のインクを吐出する第１のインクノズルおよび第２の色のインクを吐出する第２のインクノズルを備える印刷ヘッドと、記録媒体を搬送する搬送機構と、印刷データに基づいて前記第１の色の印刷ドットパターンおよび前記第２の色の印刷ドットパターンを生成する印刷ドットパターン生成部と、フラッシングドットを含むｎ列×ｍ行（ｎ、ｍはいずれも２以上の整数）の基準フラッシングパターンと、オフセット情報とを記憶する記憶部と、前記基準フラッシングパターンを前記記録媒体の搬送方向と交差する列方向および前記搬送方向である行方向に配列して、印刷フラッシングパターンを生成するフラッシングパターン決定部と、前記第１の色の印刷ドットパターンと前記印刷フラッシングパターンとを合成した第１の合成ドットパターン、および、前記第２の色の印刷ドットパターンと前記印刷フラッシングパターンとを前記オフセット情報に基づいて合成した第２の合成ドットパターンを生成するフラッシングパターン合成部と、前記フラッシングパターン合成部で生成されたデータに基づいて前記印刷ヘッドからインクを吐出させる印刷制御部と、を有することを特徴とする。